(57)【要約】      （修正有）【課題】マスク等の装着時の安定性を向上させる口元の被覆構造を提供する。【解決手段】装着者の頭部に固定された状態で装着者の少なくとも鼻尖及び口元を覆う口元の被覆構造であって、装着者に装着された状態で弾性的に変形して装着者との接触箇所の形状に対応した立体的形状を生じるとともに、装着者の鼻尖及び口元を縦断する直線に対応した中央部１０ａを有する被覆本体部１０を備え、被覆本体部は、多孔質性のエラストマーを主材料とするシート状の基台部と、基台部の表面及び裏面の少なくともいずれか一方に積層される、布を主材料とするシート状の表皮部とを有する。【選択図】図１
0003227437.tif 000002
【実用新案登録請求の範囲】
【請求項１】
装着者の頭部に固定された状態で前記装着者の少なくとも鼻尖及び口元を覆う口元の被覆構造であって、
前記装着者に装着された状態で弾性的に変形して前記装着者との接触箇所の形状に対応した立体的形状を生じるとともに、前記装着者の鼻尖及び口元を縦断する直線に対応した中央部を有する被覆本体部を備え、
前記被覆本体部は、
多孔質性のエラストマーを主材料とするシート状の基台部と、
前記基台部の表面及び裏面の少なくともいずれか一方に積層される、布を主材料とするシート状の表皮部とを有する、
口元の被覆構造。
【請求項２】
前記被覆本体部の、前記装着者と対向する側に設けられ、前記被覆本体部が前記装着者に装着された状態で前記装着者の肌面との間に生ずる間隙を閉塞する、通気性を有するフィルタ部を備えた、
請求項１に記載の口元の被覆構造。
【請求項３】
前記被覆本体部は、平板状のサブ被覆本体部を一対有し、
前記一対のサブ被覆本体部は、各々の一部の周縁を含む一部の裏面同士にて接合されており、
前記一対のサブ被覆本体部の接合部分が表面側に突出して前記被覆本体部の前記中央部を形成している、
請求項１又は２に記載の口元の被覆構造。
【請求項４】
前記接合部は、熱による溶着又は水溶性の接着剤による接着により接合されている、
請求項１から３のいずれかに記載の口元の被覆構造。
【請求項５】
前記被覆本体部の材料は、ウェットスーツの材料である、
請求項１から４のいずれかに記載の口元の被覆構造。
【請求項６】
請求項１から５のいずれに記載の口元の被覆構造と、
装着者の耳介が挿通される開口が形成されるととともに、少なくとも前記開口の周縁の全てが弾性的に変形可能な耳掛け本体部を備え、
前記耳掛け本体部が前記耳介に引っ掛けられることにより前記装着者の頭部に固定されるマスクであって、
前記耳掛け本体部及び前記被覆本体部とは同一の材料の異なる部位として継ぎ目無く繋がっている、
マスク。
【考案の詳細な説明】
【技術分野】
【０００１】
本考案は、衛生用品、防寒具その他の口元に装着して用いられるマスク類に用いることが可能な口元の被覆構造及びそれを用いたマスクに関する。
【背景技術】
【０００２】
従来、衛生用品に用いられるマスクは、微小粒子又は細菌、ウイルスが付着した飛沫物が外部から体内に侵入することの防止及び体内の粘液等が飛沫として咳やくしゃみにより外部へ飛散することを防止することを目的として用いられ、主に装着者の口元を直接覆うマスク本体部と、マスク本体部を当該口元に固定するための耳掛け部とを備える。
【０００３】
マスク本体部は主に厚み方向に積層された平面形状矩形の不織布製のシート材料により構成される。また、耳掛け部は、マスク本体部の短手方向側に固定されて装着者の両耳の耳介に引っ掛けられて用いられる環状の部材であって、ゴム糸と綿の交織帯に例示される伸縮性の材料により構成される（例えば、特許文献１を参照）。
【先行技術文献】
【特許文献】
【０００４】
【特許文献１】特開２０１９−１９６５５３号公報
【考案の概要】
【考案が解決しようとする課題】
【０００５】
しかしながら、上記従来のマスクには、以下のような課題があった。すなわち、従来のマスク本体部は、上記のような不織布、又は紙製であることから、装着中に位置ずれやよれを生じやすく、口元を確実に保護することが困難で、ひいては不快感を生じさせることとなっていた。
【０００６】
本考案は、上記の課題に鑑みてなされたものであり、マスク等の装着時の安定性を向上させた口元の被覆構造及びそれを用いたマスクを目的とする。
【課題を解決するための手段】
【０００７】
上記の目的を達成するために、本考案の第１の側面は、装着者の頭部に固定された状態で前記装着者の少なくとも鼻尖及び口元を覆う口元の被覆構造であって、前記装着者に装着された状態で弾性的に変形して前記装着者との接触箇所の形状に対応した立体的形状を生じるとともに、前記装着者の鼻尖及び口元を縦断する直線に対応した中央部を有する被覆本体部を備え、前記被覆本体部は、多孔質性のエラストマーを主材料とするシート状の基台部と、前記基台部の表面及び裏面の少なくともいずれか一方に積層される、布を主材料とするシート状の表皮部とを有する、口元の被覆構造である。
【０００８】
本考案の第２の側面は、前記被覆本体部の、前記装着者と対向する側に設けられ、前記被覆本体部が前記装着者に装着された状態で前記装着者の肌面との間に生ずる間隙を閉塞する、通気性を有するフィルタ部を備えた、本考案の第１の側面の口元の被覆構造である。
【０００９】
本考案の第３の側面は、前記被覆本体部は、平板状のサブ被覆本体部を一対有し、前記一対のサブ被覆本体部は、各々の一部の周縁を含む一部の裏面同士にて接合されており、前記一対のサブ被覆本体部の接合部分が表面側に突出して前記被覆本体部の前記中央部を形成している、本考案の第１又は第２の側面の口元の被覆構造である。
【００１０】
本考案の第４の側面は、前記接合部は、熱による溶着又は水溶性の接着剤による接着により接合されている、本考案の第１から第３のいずれかの側面の口元の被覆構造である。
【００１１】
本考案の第５の側面は、前記被覆本体部の材料は、ウェットスーツの材料である、本考案の第１から第４のいずれかの側面の口元の被覆構造である。
【００１２】
本考案の第６の側面は、本考案の第１から第５のいずれの側面の口元の被覆構造と、装着者の耳介が挿通される開口が形成されるととともに、少なくとも前記開口の周縁の全てが弾性的に変形可能な耳掛け本体部を備え、前記耳掛け本体部が前記耳介に引っ掛けられることにより前記装着者の頭部に固定されるマスクであって、前記耳掛け本体部及び前記被覆本体部とは同一の材料の異なる部位として継ぎ目無く繋がっている、マスクである。
【考案の効果】
【００１３】
本考案によれば、マスク等の装着時の安定性を向上させることが可能となる。
【図面の簡単な説明】
【００１４】
【図１】本考案の実施の形態１に係るマスクの構成を示す斜視図である。
【図２】本考案の実施の形態１に係るマスクの構成を示す分解斜視図である。
【図３】（ａ）本考案の実施の形態１に係るマスクの構成を示す平面図である。（ｂ）図３（ａ）のＢ−Ｂ断面図である。（ｃ）本考案の他の実施の形態に係る口元の被覆構造の構成を示す断面図である。
【図４】図１のＡ−Ａ断面図である。
【図５】本考案の実施の形態２に係るマスクの構成を示す正面図である。
【図６】本考案の実施の形態２に係るマスクの構成を示す要部断面図である。
【図７】本考案の実施の形態２に係るマスクの他の構成例を示す正面図である。
【図８】（ａ）本考案の他の実施の形態に係る口元の被覆構造を示す要部断面図である。（ｂ）本考案の他の実施の形態に係る口元の被覆構造を示す要部断面図である。（ｃ）本考案の他の実施の形態に係る口元の被覆構造を示す要部断面図である。
【図９】本考案の他の実施の形態に係る口元の被覆構造を示す平面図である。
【図１０】本考案の他の実施の形態に係る口元の被覆構造を示す斜視図である。
【考案を実施するための形態】
【００１５】
以下、本考案の実施の形態１を、図面を参照して説明する。
【００１６】
（実施の形態１）
図１は、本考案の実施の形態１に係るマスク１の外観を示す斜視図である。図１に示すように、本実施の形態１に係るマスク１は、後述する弾性的に変形可能な材料体により作成された、装着者の頭部Ｈにおいて装着者の口元に位置する唇Ｌと鼻尖ＮＴを含めた鼻梁Ｎとを覆う被覆本体部１０、及び装着者の耳介Ｅに引っ掛けられて被覆本体部１０を装着者の口元に固定する一対の耳掛け本体部２０が、継ぎ目無く繋がってなる構成を備える。
【００１７】
被覆本体部１０は、マスク１のマスク本体を成し、装着時には装着者の唇Ｌ及び鼻尖ＮＴ並びにその近傍に位置する頬等の部位の起伏に応じて略碗状の立体的形状を形成する部位である。更に、被覆本体部１０は、装着者の正面視において唇Ｌ及び鼻梁Ｎを上下に縦断して二分する直線に沿って形成されるとともに装着者の側面視において被覆本体部１０の他の部分の表面から突出した略弧状の慨形を有する中央部１０ａを備える。
【００１８】
耳掛け本体部２０は、被覆本体部１０と側端を共有することで、表面から裏面を貫通する開口２０ｘを有する環状の部位であって、装着時には耳介から被覆本体部１０を横断しつつ、装着者の頬等の部位の起伏に応じて湾曲した帯状の外形を生じる部位である。
【００１９】
マスク１は、開口２０ｘに耳介Ｅを挿通させて耳介Ｅの裏側に開口２０ｘの周縁２０Ｅを引っ掛けることにより耳掛け本体部２０を耳介Ｅに固定するとともに被覆本体部１０を口元に位置決め固定することで、装着者に装着される。
【００２０】
図２は、マスク１の構成を示す分解斜視図である。図２に示すように、マスク１は、被覆本体部１０を中央部１０ａを境界として二分した一方に対応する端部１１と、マスク１の一対の耳掛け本体部２０の一方に対応する端部２１とを含んでなる、シート状の材料体１ａと、材料体１ａと同一の形状を有し、同様の端部１１及び２１を有する材料体１ｂの組合せにより構成される。
【００２１】
図３は、マスク１の部品である材料体１ａの構成を示す平面図である。なお、材料体１ａと材料体１ｂは、後述する表面１Ｆ及び裏面１Ｂの配置が反転した以外は同一の構成を有し、以下の説明は材料体１ｂにも適用される。
【００２２】
図２及び図３に示すように、材料体１ａにおいて端部１１は円弧状の端縁１１Ｅを含む略扇状の平面形状を有する部位であって、材料体１ａ及び１ｂは、互いの端部１１の端縁１１Ｅに隣接する、裏面１Ｂ側の周縁ＲＢ同士を熱溶着テープ１２を間に挟んで熱溶着させて接合することにより、当該接合部分を他の部分より剛性の大きな中央部１０ａとして有する被覆本体部１０を含んだマスク１として完成される。
【００２３】
次に、材料体１ａにおいて端部２１は端部１１の扇状の要の部分から継ぎ目無く繋がって形成される、略長円状の平面形状を有する部位である。端部２１の表面１Ｆの中央には図中死角となる裏面１Ｂまで貫通する平面形状長円状の開口２０ｘが設けられ、開口２０ｘの周縁２０Ｅは、その一部を端部１１と共有して、継ぎ目の無い環状の慨形を形成する。
【００２４】
更に、図３（ａ）のＢ−Ｂ直線による断面図に示すように、端部１１及び端部２１を含めた材料体１ａは、多孔質性のエラストマーを主材料とした基台部１１ａと基台部１１ａの表面に積層された布製の表皮部１１ｂと基台部１１ａの裏面に積層された布製の表皮部１１ｃとを備える。基台部１１ａは少なくとも２ｍｍ〜３ｍｍ程度の厚みを有することが好ましく、表皮部１１ｂ及び１１ｃに比して大きな厚みを有することで、実質的に材料体１ａの外形、寸法を規定する。
【００２５】
材料体１ａは、基台部１１ａの変形に応じて表皮部１１ｂ及び１１ｃが伸縮することにより、一体として弾性的に変形可能となっている。これにより、端部１１も、定型性を保ちつつ、マスク１の表面１Ｆに沿った向き及び交差する向きの両方において弾性的に変形可能となっている。
【００２６】
なお、材料体１ａの厚みは、マスク１としての装着状態、未使用状態を問わず、耳掛け本体部２０の開口２０ｘの周縁の断面形状が目視により矩形と認識できる適度に厚みのある寸法をもたせることが好ましい。これにより、開口２０ｘの平面形状略環状の周縁２０Ｅは、断面形状が矩形を保つ、帯状の外観を備えるとともに、被覆本体部１０はマスク１として装着者に装着された状態でよれや皺を生じず、一定の形状を保つことができる。
【００２７】
基台部１１ａに用いられる多孔質性のエラストマーの例としては、クロロプレンゴム、エチレンプロピレンゴム、シリコンゴム等の合成ゴム又は天然ゴムを主成分とするゴムスポンジが挙げられる。また、表皮部１１ｂ及び１１ｃに用いられる布の一例としては、合成繊維又は天然繊維による織布又は不織布その他、基台部１１ａの弾性的な変形を妨げないものであれば任意の種類の布類を用いることができる。また、基台部１１ａと表皮部１１ｂ及び１１ｃとの接合には、接着その他周知慣用の技術的手段を用いることができる。
【００２８】
以上の構成において、マスク１は本考案のマスクに相当し、被覆本体部１０は本考案の被覆本体部及び口元の被覆構造に相当し、耳掛け本体部２０は本考案の耳掛け本体部に相当する。また、材料体１ａ及び１ｂは本考案のサブ被覆本体部を構成し、基台部１１ａは本考案の基台部に相当し、表皮部１１ｂ及び１１ｃは本考案の表皮部に相当し、開口２０ｘは本考案の開口に相当する。
【００２９】
このような構成を有する本考案の実施の形態１によるマスク１は、弾性的に変形可能な平板状の材料体１ａ及び１ｂの互いの端部１１の端縁１１Ｅに隣接する周縁ＲＢ同士を接合した構成を有することを特徴とする。これにより、装着時には、被覆本体部１０及び耳掛け本体部２０が装着者との接触箇所の形状に応じて立体的に変形して口元近傍を密着性よく覆う一方、未使用時には平板状の外形に復元される、機能性及び携帯性にすぐれたマスクを実現することが可能となる。
【００３０】
更に、本実施の形態１によるマスク１は、口元の被覆構造である被覆本体部１０を、多孔質性のエラストマーを主材料とする基台部１１ａと表皮部１１ｂ及び１１ｃとの積層により構成したことを特徴とする。これにより、被覆本体部１０は、定型性を備えつつ弾性的に変形可能なことに基づき、装着後も一定の形状を保つこととなり、位置ずれやよれのような変形が少なく、被覆した箇所を確実に保護して、マスクの装着時の安定性を高めることが可能となる。さらに、外気や湿気を透過させず、保温性、保湿性に富んでいるため、衛生用品を代替する他、特に防寒用のマスクに好適である。
【００３１】
更に、本実施の形態１によるマスク１は、口元の被覆構造である被覆本体部１０を、マスク１の裏面に対応する材料体１ａ及び１ｂの裏面１Ｂ同士の熱溶着により形成して、マスク１の装着時に装着者の唇Ｌ及び鼻梁Ｎを上下に縦断して二分する直線に沿って形成されるとともに、装着者の側面視において被覆本体部１０の他の部分の表面から突出した略弧状の慨形を有する中央部１０ａを有することを特徴とする。
【００３２】
すなわち、本実施の形態１によるマスク１は、図４の、図１のＡ−Ａ線による要部断面図に示すように、装着者の口元を覆う被覆本体部１０が、材料体１ａ及び１ｂの弾性に応じて、鼻梁Ｎに重なる中央部１０ａの両脇近傍においては、図中矢印Ｆ１により示す、外側から被覆本体部１０へ向かう力に応じて凹部１０ｂを生じるように変形するとともに、装着者の頬Ｃに近接した箇所においては、頬Ｃの形状に追従することで、図中矢印Ｆ２により示す、被覆本体部１０から外側へ向かう力に応じて凸部１０ｃを生じるよう変形することで、中央部１０ａを中心とした左右の表面の断面が緩やかなＳ字状に湾曲した曲面を形成する。なお、鼻梁Ｎの左右の空隙Ｓは、図１に示す被覆本体部１０の上縁１０Ｐと装着者の肌面との間に生ずる隙間Ｇに連通している。
【００３３】
これにより、装着者の鼻梁Ｎと頬Ｃとの間においては空隙Ｓを形成しつつ、鼻梁Ｎの中心及び頬Ｃの近傍への密着度を高めて、マスクの装着時において、安定性に加えて快適性を向上させることが可能となる。
【００３４】
更に、本実施の形態１のマスク１は、材料体１ａ及び１ｂとして、多孔質性のエラストマーを主材料とする基台部１１ａと表皮部１１ｂ及び１１ｃとの積層体を用いたことを特徴とする。この場合において、ウェットスーツの生地材料は予め完成した積層体として加工容易な材料で、マスク１を簡易な工程により製造することが可能となり、より好ましい。
【００３５】
（実施の形態２）
図５は、本考案の実施の形態２に係るマスクの外観を示す正面図であり、図６は、図４の要部断面図と同一断面に対応した、装着状態におけるマスクの要部断面図である。ただし、図１〜４と同一又は相当する構成については、同一符号を付し詳細な説明は省略する。
【００３６】
各図に示すように、本実施の形態２に係るマスク２は、口元の被覆構造である被覆本体部１０において、装着者の肌面と対向する裏面１Ｂに設けられるとともに、鼻尖ＮＴ及び唇Ｌをその内側に含ませる、平面形状環状のフィルタ部３０を備える。
【００３７】
フィルタ部３０は、マイクロファイバー、不織布等の単体又は積層体その他の材料により作成され、微小粒子又は人体由来の粘液、飛沫物等を透過しない程度の通気性を有する部材であって、図６に示すように、５ｍｍ〜１ｃｍ程度の厚みを有し、被覆本体部１０が装着者の口元に固定される際に装着者の肌面に圧接する。
【００３８】
本実施の形態２に係るマスク２は、このようなフィルタ部３０を備えたことにより、図５に示すように、被覆本体部１０の上縁１０Ｐと装着者の肌面との間に生ずる隙間Ｇを閉塞して、装着者の鼻梁Ｎ及び唇Ｌを含む空隙Ｓを、フィルタ部３０のみを介して外部と連通させる。
【００３９】
これにより、装着者はマスク２の装着時に、フィルタ部３０を介して呼吸することとなり、マスク２を、装着時の安定性及び快適性にすぐれた衛生用品又は医療用品として用いることが可能となる。
【００４０】
なお、フィルタ部３０の被覆本体部１０への固定の態様は、材料体１ａ及び１ｂと同様に、熱溶着とすることが好ましいが、縫着や接着でもよく、更には面ファスナ、粘着テープ等の周知慣用の技術的手段を用いて、脱着自在な構成であるとしてもよい。この場合、フィルタ部３０のみを交換して、耐久性を有するとともに衛生性に優れたマスクを得ることができる効果を奏する。
【００４１】
また、上記の説明においては、フィルタ部３０は、鼻尖ＮＴ及び唇Ｌをその内側に含ませる、平面形状環状であるとしたが、被覆本体部１０の上縁１０Ｐと装着者の肌面との間に生ずる隙間Ｇのように装着者の肌面と被覆本体部１０の裏面１Ｂとの間に生ずる間隙を閉塞して、装着者の鼻梁Ｎ及び唇Ｌを含む空隙Ｓを、フィルタ部３０のみを介して外部と連通させることができるものであれば任意の形状でよく、図７に示す構成例のように、被覆本体部１０の上縁１０Ｐ近傍のみを覆う弧状、平板状の形状であってもよい。
【００４２】
以上のように、本考案の実施の形態によるマスクは、口元の被覆構造としての被覆本体部１０が、位置ずれやよれのような変形が少なく、被覆した箇所を確実に保護して、装着時のマスクの装着時の安定性を向上させることが可能となる。
【００４３】
しかしながら、本考案は上記の構成に限定されるものではない。
【００４４】
上記の説明においては、マスク１の被覆本体部１０の中央部１０ａは、材料体１ａ及び１ｂの端部１１の裏面１Ｂ同士を熱溶着することにより形成されるものとしたが、図８（ａ）に示す構成例のように、端部１１の端縁１１Ｅ近傍の周縁同士を接着剤１３により接合した構成としてもよいし、図（ｂ）に示す構成例のように、端縁１１Ｅの周縁同士を縫合糸１４により縫着した構成としてもよい。更に、接着剤１３、及びフィルタ部３０の接合のようにマスク１の他の箇所の接着剤として水溶性の接着剤を用いることは、上述した熱溶着の場合と同様の効果として、衛生的に安全且つ吸気に伴うおける不快感を除去することができ、より好ましい。
【００４５】
更に、図８（ｃ）に示す構成例のように、中央部１０ａを設けず、材料体１ａ及び１ｂの端部１１の端縁１１Ｅ同士を直接接合して被覆本体部１０を形成する構成としてもよい。
【００４６】
更に、上記の説明においては、被覆本体部１０を含めたマスク１の構成部材である材料体１ａ及び１ｂは、多孔質性のエラストマーを主材料とした基台部１１ａと基台部１１ａの表面及び裏面にそれぞれ表皮部１１ｂ及び表皮部１１ｃとを積層するものとしたが、図３（ｃ）に示す、基台部１１ａ及び基台部の裏面のみに積層した表皮部１１ｂのように、表皮部は基台部の表面又は裏面のいずれか一方にのみ積層するものとしてもよい。この場合において、被覆本体部１０の裏面１Ｂ、すなわち装着時に装着者の肌に接する側に表皮部を設けることは、装着時における快適性を保持するとともに、当該裏面における装着者の呼気等に基づく結露の発生を抑制して、装着時の快適性を保つことができ、好ましい。更に、この場合において、表皮部に用いる素材としては、ポリエチレン繊維、ポリエステル繊維等の速乾性に富んだ材料を用いることが好ましい。
【００４７】
更に、上記の説明においては、本考案の口元の被覆構造としての被覆本体部１０は、一対のサブ被覆本体部を構成する材料体１ａ及び１ｂの接合により構成されるものとしたが、本考案の口元の被覆構造は、図９に示す材料体１ｃのように、一対の端部１１及び２１の組合せが継ぎ目無く繋がるとともに、一対の端縁１０Ｅの裏面同士が接合して中央部１０ａを形成するような、単一のシート状の材料から得られる構成として実施してもよい。更に、３つ以上のシート状の材料の組合せから得られる構成として実施してもよい。
【００４８】
更に、上記の説明においては、本考案の口元の被覆構造としての被覆本体部１０は、耳掛け本体部２０と継ぎ目無く繋がって、本考案の一実施の形態であるマスク１の一部位として構成されるものとしたが、本考案は、図１０に示すように、被覆本体部単体にて実施してもよい。この場合において、被覆本体部１０にて図中点線にて仮想的に示す耳掛け本体部２０をなす端部２１へ繋がる部位となる周縁１０Ｆに、従来の紙製又は布製のマスクに用いられる耳掛け部、あるいはヘルメットや帽子類を接着、嵌着、係合その他周知慣用の技術的手段を用いて接合することにより、従来の衛生用品や防寒具その他保護用のマスク、並びに頭部を保護若しくは装飾する任意の用品において、本考案を実施することが可能となる。
【００４９】
更に、上記の説明においては、本考案の口元の被覆構造は、被覆本体部１０を材料体１ａ及び１ｂとして、多孔質性のエラストマーを主材料とする基台部１１ａと表皮部１１ｂ及び１１ｃとの積層体を用いたものとしたが、当該積層体は、ウェットスーツの生地材料の他、同様の構成を有する任意の既成の生地材料を用いたものとしてもよいし、専用品として作成するようにしてもよい。
【００５０】
要するに、本考案は、その要旨を逸脱しない範囲内であれば、上記実施の形態に種々の変更を加えた形態で実施してもよい。
【産業上の利用可能性】
【００５１】
以上のような本考案によれば、マスク等の装着時の安定性を向上させることが可能となるという効果を有し、一例としては、衛生用品、防寒具その他の保護マスクへの適用に好適である。
【符号の説明】
【００５２】
１、２  マスク
１Ｂ  裏面
１Ｆ  表面
１ａ、１ｂ、１ｃ  材料体
１０  被覆本体部
１０ａ  中央部
１０ｂ  凹部
１０ｃ  凸部
１０Ｅ、１１Ｅ  端縁
１０Ｆ、２０Ｅ  周縁
１０Ｐ  上縁
１１、２１  端部
１１ａ  基台部
１１ｂ、１１ｃ  表皮部
１２  熱溶着テープ
１３  接着剤
１４  縫合糸
２０  耳掛け本体部
２０ｘ  開口
３０  フィルタ部
【図１】
0003227437.tif 000003
【図２】
0003227437.tif 000004
【図３】
0003227437.tif 000005
【図４】
0003227437.tif 000006
【図５】
0003227437.tif 000007
【図６】
0003227437.tif 000008
【図７】
0003227437.tif 000009
【図８】
0003227437.tif 000010
【図９】
0003227437.tif 000011
【図１０】
0003227437.tif 000012
【手続補正書】
【提出日】令和2年4月28日(2020.4.28)
【手続補正１】
【補正対象書類名】実用新案登録請求の範囲
【補正対象項目名】全文
【補正方法】変更
【補正の内容】
【実用新案登録請求の範囲】
【請求項１】
装着者の頭部に固定された状態で前記装着者の少なくとも鼻尖及び口元を覆う口元の被覆構造であって、
前記装着者に装着された状態で弾性的に変形して前記装着者との接触箇所の形状に対応した立体的形状を生じるとともに、前記装着者の鼻尖及び口元を縦断する直線に対応した中央部を有する被覆本体部を備え、
前記被覆本体部は、
多孔質性のエラストマーを主材料とするシート状の基台部と、
前記基台部の表面及び裏面の少なくともいずれか一方に積層される、布を主材料とするシート状の表皮部とを有する、
口元の被覆構造。
【請求項２】
前記被覆本体部の、前記装着者と対向する側に設けられ、前記被覆本体部が前記装着者に装着された状態で前記装着者の肌面との間に生ずる間隙を閉塞する、通気性を有するフィルタ部を備えた、
請求項１に記載の口元の被覆構造。
【請求項３】
前記被覆本体部は、平板状のサブ被覆本体部を一対有し、
前記一対のサブ被覆本体部は、各々の一部の周縁を含む一部の裏面同士にて接合されており、
前記一対のサブ被覆本体部の接合部分が表面側に突出して前記被覆本体部の前記中央部を形成している、
請求項１又は２に記載の口元の被覆構造。
【請求項４】
前記接合部分は、熱による溶着又は水溶性の接着剤による接着により接合されている、
請求項３に記載の口元の被覆構造。
【請求項５】
前記被覆本体部の材料は、ウェットスーツの材料である、
請求項１から４のいずれかに記載の口元の被覆構造。
【請求項６】
請求項１から５のいずれに記載の口元の被覆構造と、
装着者の耳介が挿通される開口が形成されるととともに、少なくとも前記開口の周縁の全てが弾性的に変形可能な耳掛け本体部を備え、
前記耳掛け本体部が前記耳介に引っ掛けられることにより前記装着者の頭部に固定されるマスクであって、
前記耳掛け本体部及び前記被覆本体部とは同一の材料の異なる部位として継ぎ目無く繋がっている、
マスク。
【手続補正２】
【補正対象書類名】明細書
【補正対象項目名】００１０
【補正方法】変更
【補正の内容】
【００１０】
本考案の第４の側面は、前記接合部分は、熱による溶着又は水溶性の接着剤による接着により接合されている、本考案の第３の側面の口元の被覆構造である。